(57)【特許請求の範囲】
【請求項１】
加熱容器内で発生した蒸気を内部に入れられた冷却水により復水するタンクを備えた炊飯器であって、
前記タンクは、
当該タンクに冷却水が入れられる際の目標水位を含む領域であって、光が透過する材料で構成された水位確認領域を有し、
前記目標水位は、蒸気を復水する際に最低限必要となる下限水位を下限値とし、蒸気が復水された後においても前記タンクから水が溢れないための冷却水の水位を示す上限水位を上限値とする所定範囲の水位であり、
前記水位確認領域は、シボ加工が施された領域とシボ加工が施されていない領域とを含み、
前記目標水位と、前記目標水位の前記下限水位に隣接する頂点を上にした三角形状の第１の隣接領域と、前記目標水位の前記上限水位に隣接する頂点を下にした三角形状の第２の隣接領域との境において、シボ加工の有無が切り替わる切替部位を設けた
ことを特徴とする炊飯器。
【請求項２】
前記シボ加工は、前記タンクの内面に施されている
ことを特徴とする請求項１記載の炊飯器。
【請求項３】
前記シボ加工は、前記タンクの外面に施されている
ことを特徴とする請求項１記載の炊飯器。
【請求項４】
同様に構成された２つの前記水位確認領域が、同じ高さ位置に左右に並べて設けられている
ことを特徴とする請求項１〜請求項３のいずれか一項に記載の炊飯器。
【発明の詳細な説明】
【技術分野】
【０００１】
本発明は、炊飯器に関する。
【背景技術】
【０００２】
従来、加熱時に発生する蒸気を、冷却水を収容したタンク内に導いて冷却水中に放散させることで復水するようにした炊飯器が提案されている（例えば、特許文献１参照）。
【先行技術文献】
【特許文献】
【０００３】
【特許文献１】実開昭６０−１０６５３２号公報（第２図）
【発明の概要】
【発明が解決しようとする課題】
【０００４】
上記特許文献１に記載のような炊飯器においては、使用者が、予めタンク内に所定量の冷却水を入れておく必要がある。ここで、タンクに対して水量が少なすぎると蒸気の冷却が不十分となり、また、タンクに対して水量が多すぎると復水された蒸気分と合わせてタンクから水が溢れる可能性があるなどの事情から、使用者においては所定量の水をなるべく正確にタンクに入れることが望まれる。
【０００５】
タンクへの所定量の水の注入を容易とするため、例えば、水位線をタンクに刻印することもできる。しかし、薄暗い室内で調理する使用者や視力の低下した使用者にとっては、刻印された水位線や、水面位置が見えづらい場合があった。また、水位線の刻印に代えて、あるいはこれに加えて、水位線を印刷したシールをタンクに貼ることもできるが、タンクを使用していくうちにシールが剥がれる可能性もある。そして、耐久性の高いシールを用いると材料費も高くなり、また、タンクに対して別部材であるシールを貼り付けると、製造作業の工程が増え、製造コストの上昇に繋がってしまう。
【０００６】
本発明は、上記のような課題を背景としてなされたものであり、シールを貼り付けることなく、水位調節における視認性を向上させたタンクを備えた炊飯器を提供するものである。
【課題を解決するための手段】
【０００７】
本発明に係る炊飯器は、加熱容器内で発生した蒸気を内部に入れられた冷却水により復水するタンクを備えた炊飯器であって、前記タンクは、当該タンクに冷却水が入れられる際の目標水位を含む領域であって、光が透過する材料で構成された水位確認領域を有し、前記目標水位は、蒸気を復水する際に最低限必要となる下限水位を下限値とし、蒸気が復水された後においても前記タンクから水が溢れないための冷却水の水位を示す上限水位を上限値とする所定範囲の水位であり、前記水位確認領域は、シボ加工が施された領域とシボ加工が施されていない領域とを含み、前記目標水位と、前記目標水位の前記下限水位に隣接する頂点を上にした三角形状の第１の隣接領域と、前記目標水位の前記上限水位に隣接する頂点を下にした三角形状の第２の隣接領域との境において、シボ加工の有無が切り替わる切替部位を設けたものである。
【発明の効果】
【０００８】
本発明によれば、目標水位の領域と、その下側に隣接する領域との境で、タンクへのシボ加工の有無が異なる。このため、タンクに水を入れていくと、水面が目標水位に未達の状態から目標水位に達したときに、シボ加工の有無によって水面の見え方の変化が顕著に表れる。したがって、使用者は、タンク内の水が目標水位に達したことを容易に視認でき、水位調節を容易に行うことができる。
【図面の簡単な説明】
【０００９】
【図１】実施の形態１に係る炊飯器の上蓋を開放しタンクを取り出した状態を示す斜視説明図である。
【図２】実施の形態１に係るタンクの斜視図である。
【図３】実施の形態１に係るタンクの要部を説明する図である。
【図４】実施の形態１に係るタンクの作用を説明する図である。
【図５】実施の形態１に係るタンクの水位確認領域の変形例を説明する図である。
【図６】実施の形態２に係るタンクの正面図である。
【図７】実施の形態３に係るタンクの正面図である。
【図８】実施の形態３に係るタンクの内面にシボ加工を施した場合の作用を説明する図である。
【図９】実施の形態３に係るタンクの外面にシボ加工を施した場合の作用を説明する図である。
【図１０】実施の形態４に係るタンクの正面図である。
【図１１】実施の形態５に係るタンクの正面図である。
【発明を実施するための形態】
【００１０】
以下、本発明に係る炊飯器を、家庭用ＩＨ式炊飯器に適用した場合を例に図面を参照して説明する。なお、この図面の形態によって本発明が限定されるものではない。
【００１１】
実施の形態１．
図１は、実施の形態１に係る炊飯器の上蓋を開放しタンクを取り出した状態を示す斜視説明図である。図１に示すように、炊飯器１００は、上部が開口した本体１と、本体１の内部に着脱自在に収納される内釜２と、本体１の外郭の一部に形成されたタンク収容部３に収容されるタンク４と、本体１及びタンク４の上方を開閉自在に覆う上蓋５とを備えている。本体１の底部には、内釜２を加熱するための電気ヒータや誘導加熱コイルからなる加熱手段（図示せず）が設けられている。また、上蓋５の下面（内釜２側）には、内釜２の上面開口を開閉自在に覆う内蓋（図示せず）が取り付けられている。上蓋５の内部には、蒸気パイプ６が配設されており、この蒸気パイプ６の一端は内蓋を介して内釜２の内部に、他端はタンク４に接続される。すなわち、蒸気パイプ６を介して、内釜２とタンク４とは連通する。
【００１２】
タンク４は、炊飯中に内釜２内で発生した蒸気を、内部に溜められている水（冷却水）により復水して回収するための容器である。タンク４には、上面開口を開閉自在に覆うタンク蓋４０が設けられている。
【００１３】
上記のような構成の炊飯器１００において、炊飯中に発生した蒸気は、内蓋を介して蒸気パイプ６内に進入し、蒸気パイプ６内を進み、タンク４内へと流入する。タンク４内へ流入した蒸気は、タンク４内の水により冷却されて復水され、タンク４内に貯留される。このような構成であるため、使用者は、炊飯前に、タンク４内に所定量の水を入れておく必要がある。ここで、タンク４内に予め入れておくべき水位を、目標水位Ｗという。目標水位Ｗは、本実施の形態１では、蒸気を水で凝縮させるのに必要な最低限の水位（下限水位ｗ１）以上であって、炊飯時の発生蒸気をすべて凝縮してもタンク４の水が漏れない限界の水位（上限水位ｗ２）以下の、ある程度の幅を持った水位である。使用者は、目標水位Ｗ（ｗ１≦Ｗ≦ｗ２）の水を、炊飯前にタンク４内に入れておくこととなる。
【００１４】
次に、タンク４についてさらに説明する。
図２は、実施の形態１に係るタンクの斜視図である。図３は、実施の形態１に係るタンクの要部を説明する図であり、図３（ａ）は水位確認領域を示す図、図３（ｂ）はタンクの断面模式図である。
タンク４は、光が透過する材料（例えば透明）で構成された水位確認領域１０を有する。なお、タンク４の略全体を光が透過する材料で構成してもよいし、水位確認領域１０のみを光が透過する材料で構成してもよい。
【００１５】
水位確認領域１０は、目標水位Ｗを含む所定面積を有する領域である。図２に例示する水位確認領域１０の輪郭は矩形であるが、水位確認領域１０の輪郭を限定するものではない。
【００１６】
水位確認領域１０には、目標水位Ｗの下端（下限水位ｗ１）に隣接する下側隣接領域１２と、目標水位Ｗの上端（上限水位ｗ２）に隣接する上側隣接領域１３が設けられている。本実施の形態１では、下側隣接領域１２は、目標水位Ｗの下端（下限水位ｗ１）を頂点とする二等辺三角形であり、上側隣接領域１３は、目標水位Ｗの上端（上限水位ｗ２）を頂点とする二等辺三角形である。下側隣接領域１２と上側隣接領域１３は、その頂点がほぼ同一垂直線上に位置するように設けられている。下側隣接領域１２と上側隣接領域１３の横方向の最大幅は、水位確認領域１０の幅よりも狭く、したがって、下側隣接領域１２と上側隣接領域１３の左右端部と、水位確認領域１０の側端部との間には、所定幅の領域が存在している。そして、目標水位Ｗの下端（下限水位ｗ１）と、目標水位Ｗの上端（上限水位ｗ２）を結んだ仮想のほぼ垂直の線を、目標水位指示部１１と称する。
【００１７】
タンク４の内面４１において、水位確認領域１０のうち下側隣接領域１２及び上側隣接領域１３を除く領域の表面に、シボ加工が施されていて、表面に細かな凹凸が付けられている。ここで、水位確認領域１０のうちシボ加工が施された領域を、シボ加工領域１６と称する。目標水位Ｗの下端（下限水位ｗ１）に対応する位置において、シボ加工の有無が切り替わっており、この切り替わっている部位を下側切替部位１４と称する。また、目標水位Ｗの上端（上限水位ｗ２）に対応する位置において、シボ加工の有無が切り替わっており、この切り替わっている部位を上側切替部位１５と称する。シボ加工領域１６においては、光が乱反射するため、使用者には不透明に見えることとなる。
【００１８】
例えば、タンク４を製造するキャビティ側の金型をスライド構造とし、このスライド側の面にシボ加工のための凹凸を形成しておき、タンク４を金型から外す際にキャビティ側の金型をスライドさせる、といった製造方法により、タンク４にシボ加工を施すことができる。
【００１９】
次に、以上のように構成されたタンク４の作用を説明する。
図４は、実施の形態１に係るタンクの作用を説明する図である。
タンク４内に水が入れられると、その水面は、水位確認領域１０におけるシボ加工の有無によって、使用者への見え方が異なる。すなわち、シボ加工が施された領域に水が付着すると、水が、シボ加工の凹凸をある程度埋める。その結果、シボ加工が施された領域であって水面以下の領域は、使用者にはほぼ透明に視認されることとなる。
【００２０】
図４（ａ）に示す位置に水面Ｘがある場合、シボ加工領域１６のうち水面Ｘ以下の領域は、使用者にはほぼ透明に見える。一方で、シボ加工領域１６のうち水面Ｘより高い位置の領域は、使用者には不透明に見える。不透明に見える部分とほぼ透明に見える部分との境界が水面位置であり、不透明に見える部分とほぼ透明に見える部分とのコントラストによって使用者は水面Ｘを視認しやすい。そして、タンク４に水を追加していくと、水面Ｘの上昇に伴って、シボ加工領域１６において透明に見える領域が徐々に大きくなっていくので、使用者はこれを目で追うことで水面Ｘの変化を容易に認識できる。
【００２１】
また、下側隣接領域１２は上側に頂点を有する二等辺三角形であるため、水を入れながら使用者が水面Ｘを目で追っていくと、下側隣接領域１２内に見える水面のラインＹは徐々に幅が狭くなり、一方でラインＹの左右に見えるシボ加工領域１６上の水面の幅は、徐々に大きくなるように見える。このため、使用者においては、現在の水面Ｘの位置がより強調されて見える。したがって、使用者は、水面Ｘの位置を視認しやすい。
【００２２】
水が増えて水面Ｘが下側切替部位１４に達すると、図４（ｂ）に示すように、それまで下側隣接領域１２内に見えていた水面のラインＹが見えなくなる。したがって、使用者が水面Ｘを目で追っている際に、下側隣接領域１２内に水面のラインＹが見えなくなると、タンク４内に目標水位の水が入ったことを認識することができる。
【００２３】
なお、通常は、下側隣接領域１２が見えなくなった段階でタンク４への水の注入を停止するのであるが、仮に、使用者が水を入れ過ぎて水面Ｘが上側切替部位１５を超えて上側隣接領域１３に達した場合であっても、水の入れ過ぎであることを使用者は容易に認識することができる。すなわち、水面が上側隣接領域１３に達した場合、図４（ｃ）に示すように水面Ｘが上側隣接領域１３内に確認できるようになる。このため、使用者は、タンク４内に水を入れ過ぎているということを容易に認識できる。
【００２４】
このように、本実施の形態１に係るタンク４は、水面位置の視認性がよい。このため、使用者は、タンク４に規定量の水を入れる際の水位調節を容易に行うことができ、使用者の使い勝手を向上させることができる。また、水位を示すシール等の別部材をタンクに設ける必要がないので、原材料を減少させることができ、製造工程の増加も抑制できるほか、廃棄時におけるシールの分離も不要となる。
【００２５】
なお、本実施の形態１では、下側隣接領域１２及び上側隣接領域１３を三角形とした例を示したが、下側隣接領域１２及び上側隣接領域１３の形状は三角形に限定されない。図５は、実施の形態１に係るタンクの水位確認領域１０の変形例を説明する図である。図５（ａ）に示すように、シボ加工を施さない領域を、魚のイラストの形にして何カ所か設けて下側隣接領域１２を構成してもよいし、図５（ｂ）に示すように、シボ加工を施さない領域を、水滴のイラストの形にして何カ所か設けて下側隣接領域１２を構成してもよい。図５（ａ）、（ｂ）ではいずれも、シボ加工を施さない領域の頂点（図形群全体の頂点）が、目標水位Ｗの下端部と一致している。そして、使用者に対しては、例えば「魚（水滴）の絵がすべて消えるまで水を入れてください」といった使い方のガイドを行うことができる。このようにしても、上述のような効果を得ることができる。もちろん、図５に示す図形の形状や数は例示であって、任意の数の他の図形を採用してもよい。また、上側隣接領域１３についても同様に、シボ加工を施さない領域を図形群として設けてもよい。
【００２６】
実施の形態２．
本実施の形態２では、実施の形態１との相違点を中心に説明する。
図６は、実施の形態２に係るタンクの正面図である。
前述の実施の形態１では、水位確認領域１０において、タンク４の内面４１にシボ加工を施していたが、本実施の形態２では、タンク４の外面４２にシボ加工を施している。これ以外の構成については、実施の形態１と同様である。
また、本実施の形態２では、同様の構成の水位確認領域１０を、タンク４の壁に左右同じ高さに２つ並べて設けている。
【００２７】
次に、実施の形態２に係るタンク４の作用を説明する。
実施の形態２においては、シボ加工はタンク４の外面４２に施されているため、タンク４内に水を入れてもシボ加工の凹凸が埋められることもなく、実施の形態１のようにシボ加工領域１６の見え方が不透明からほぼ透明に変化することはないが、以下のような作用を生じる。
【００２８】
本実施の形態２の水位確認領域１０において、シボ加工が施されていない下側隣接領域１２及び上側隣接領域１３は、透明であるため、使用者には水面が見えやすい。一方、シボ加工領域１６の凹凸によって光が乱反射するため、シボ加工領域１６上に位置している水面は使用者には見えにくい。したがって、水面が見えにくいシボ加工領域１６とのコントラストにより、水面が見えやすい下側隣接領域１２及び上側隣接領域１３における水面の視認性を向上させることができる。
【００２９】
例えば、下側隣接領域１２に水面が位置している状態においてタンク４に水を追加していくと、下側隣接領域１２内にて比較的はっきりと見える水面のラインの長さは、徐々に短くなっていく。そして、水面が下側切替部位１４に達した時点で、使用者には、水面全体が見えにくい状態となる。したがって、タンク４に水を追加しながら使用者が水面を目で追っている際に、下側隣接領域１２内にて比較的はっきりと見えていた水面が見えにくくなると、タンク４内に目標水位の水が入ったことを認識することができる。
【００３０】
このように、本実施の形態２に係るタンク４は、水面位置の視認性がよい。このため、使用者は、タンク４に規定量の水を入れる際の水位調節を容易に行うことができ、使用者の使い勝手を向上させることができる。
【００３１】
また、本実施の形態２では、タンク４の外面４２にシボ加工を施すので、内面にシボ加工を施すのと比べて、金型構造上、加工が容易である。
【００３２】
また、本実施の形態２では、同様の構成の水位確認領域１０を２つ並べて設けたので、例えばタンク４が傾いている場合でも、使用者は両方の水位確認領域１０を確認しながら容易に水位調節を行うことができる。なお、水位確認領域１０の数は２つに限定されない。また、前述の実施の形態１においても、本実施の形態２と同様に同様の構成の水位確認領域１０を２つ並べて設けてもよく、同様の効果を得ることができる。
【００３３】
実施の形態３．
本実施の形態３では、シボ加工領域及び目標水位指示部の他の形状を説明する。本実施の形態３では、実施の形態１、２との相違点を中心に説明する。
【００３４】
図７は、実施の形態３に係るタンクの正面図である。
図７に示すように、水位確認領域１０ａには、目標水位Ｗの下端（下限水位ｗ１）と上端（上限水位ｗ２）を上下方向の端部とする矩形の目標水位指示部１１ａが設けられている。目標水位指示部１１ａには、シボ加工が施されておらず、水位確認領域１０ａのうち目標水位指示部１１ａを除く領域に、シボ加工が施されている。本実施の形態３において、下側隣接領域１２ａは、目標水位指示部１１ａの下側に隣接する矩形領域、上限水位領域１３ａは、目標水位指示部１１ａの上側に隣接する矩形領域である。また、水位確認領域１０ａにおいて目標水位指示部１１ａの左右両側を周辺領域１７ａと称する。すなわち、本実施の形態３では、下側隣接領域１２ａ、上限水位領域１３ａ、及び周辺領域１７ａを合わせた領域が、シボ加工領域１６ａに等しい。そして、目標水位指示部１１ａの下端部が、下側切替部位１４ａであり、目標水位指示部１１ａの上端部が、上側切替部位１５ａである。
【００３５】
本実施の形態３においては、シボ加工を、タンク４の内面４１及び外面４２のいずれに施してもよい。以下、シボ加工をタンク４の内面４１に施した場合と外面４２に施した場合について、それぞれ作用を説明する。
【００３６】
まず、シボ加工をタンク４の内面４１に施した場合について説明する。
図８は、実施の形態３に係るタンクの内面にシボ加工を施した場合の作用を説明する図である。
図８（ａ）に示すように、タンク４内に水を入れながら使用者が水位確認領域１０ａを斜め上から見ると、シボ加工が施された下側隣接領域１２ａのうち水面Ｘ以下の領域は、使用者にはほぼ透明に見える。一方で、下側隣接領域１２ａのうち水面Ｘより高い位置の領域は、使用者には不透明に見える。不透明に見える部分とほぼ透明に見える部分との境界が水面位置であり、不透明に見える部分とほぼ透明に見える部分とのコントラストによって使用者は水面Ｘを視認しやすい。
【００３７】
図８（ｂ）に示すように、水が増えて水面Ｘが目標水位指示部１１ａに達すると、シボ加工が施されていない目標水位指示部１１ａ内に、水面Ｘを確認することができる。したがって、使用者がタンク４に水を入れながら水面Ｘを目で追っている際に、目標水位指示部１１ａ内に水面Ｘが見えるようになると、タンク４内に目標水位の水が入ったことを認識することができる。
【００３８】
次に、シボ加工をタンク４の外面４２に施した場合について説明する。
図９は、実施の形態３に係るタンクの外面にシボ加工を施した場合の作用を説明する図である。
図９（ａ）に示すように、タンク４内に水を入れながら使用者が水位確認領域１０ａを見ると、下側隣接領域１２ａに施されたシボ加工の凹凸によって光が乱反射するため、使用者には水面Ｘが見えにくい。
【００３９】
図９（ｂ）に示すように、水が増えて水面Ｘが目標水位指示部１１ａに達すると、シボ加工が施されていない目標水位指示部１１ａ内に、水面Ｘを確認することができる。したがって、使用者がタンク４に水を入れながら水面Ｘを目で追っている際に、目標水位指示部１１ａ内に水面Ｘが見えるようになってそれまでと水面Ｘの見え方が変わると、タンク４内に目標水位の水が入ったことを認識することができる。下側隣接領域１２ａ上においては見えにくかった水面Ｘが、下側切替部位１４ａを超えて目標水位指示部１１ａに達すると、はっきり見えるようになるため、そのコントラストによって使用者は目標水位の水がタンク４に入ったことを容易に認識することができる。
【００４０】
このように、本実施の形態３に係るタンク４は、水が目標水位に達したことを容易に確認することができる。このため、使用者は、タンク４に規定量の水を入れる際の水位調節を容易に行うことができ、使用者の使い勝手を向上させることができる。
なお、実施の形態１、２と同じく、同様の構成の水位確認領域を同じ高さ位置に左右２つ並べて設けてもよく、同様の効果を得ることができる。このことは、以降の実施の形態においても同様である。
【００４１】
実施の形態４．
本実施の形態４は、シボ加工を施す領域の形状が、実施の形態３とは異なる。本実施の形態４では、実施の形態３との相違点を中心に説明する。
【００４２】
図１０は、実施の形態４に係るタンクの正面図である。
図１０に示すように、水位確認領域１０ｂにおいて、目標水位指示部１１ｂにはシボ加工が施されておらず、その下側にはシボ加工が施された矩形の下側隣接領域１２ｂが設けられ、上側にはシボ加工が施された上側隣接領域１３ｂが設けられている。本実施の形態４では、下側隣接領域１２ｂ及び上側隣接領域１３ｂが、シボ加工領域１６ｂに等しい。そして、下側隣接領域１２ｂの上端部が、下側切替部位１４ｂであり、上側隣接領域１３ｂの下端部が、上側切替部位１５ｂである。
【００４３】
本実施の形態４においては、実施の形態３と同様に、タンク４の内面４１及び外面４２のいずれにシボ加工を施してもよい。
このように、本実施の形態４のように水位確認領域１０ｂにシボ加工を施しても、実施の形態３と同様の効果を得ることができる。また、本実施の形態４では、目標水位指示部１１ｂの幅を水位確認領域１０ｂと同幅にして広く設けたので、目標水位指示部１１ｂにおいて水面Ｘを確認しやすい。
【００４４】
実施の形態５．
本実施の形態５は、実施の形態４の変形例である。本実施の形態５では、実施の形態４との相違点を中心に説明する。
図１１は、実施の形態５に係るタンクの正面図である。
図１１に示すように、下側隣接領域１２ｃは、タンク４の底部近傍まで延びており、実施の形態４で示したものと比べて上下方向に長く構成されている。これ以外の構成については、実施の形態４と同様である。このように下側隣接領域１２ｃを上下に長く構成することで、使用者がタンク４に水を入れながら水面を目で追っていったときに、水面が下側隣接領域１２ｃから目標水位指示部１１ｃに達したときの見え方の変化が、使用者に対して強調される。このため、使用者は、目標水位に達したことをより容易に認識することができる。
【００４５】
なお、上記説明で示したタンク及び水位確認領域は、炊飯器のタンクのほか、例えば計量カップや加湿器用の水タンクなど、使用者が水位調節を行う他の容器に適用することも可能である。例えば計量カップのように複数種類の水位を示したい場合には、所定単位（例えば２００ｃｃの計量カップであれば５０ｃｃ単位）で、シボ加工とシボ加工を設けない領域とを交互に設けることができる。また、一種類の水位を示せばよいタンクに用いる場合には、その水位の位置にてシボ加工の有無が切り替わるようにするとよい。
また、上記説明で示した水位確認領域に加えて、水位を示す刻印をタンクに設けてもよい。
【符号の説明】
【００４６】
１  本体、２  内釜、３  タンク収容部、４  タンク、５  上蓋、６  蒸気パイプ、１０  水位確認領域、１１  目標水位指示部、１２  下側隣接領域、１３  上側隣接領域、１４  下側切替部位、１５  上側切替部位、１６  シボ加工領域、１７ａ  周辺領域、４０  タンク蓋、４１  内面、４２  外面、１００  炊飯器。
【図１】
0005854775.tif 000002
【図２】
0005854775.tif 000003
【図３】
0005854775.tif 000004
【図４】
0005854775.tif 000005
【図５】
0005854775.tif 000006
【図６】
0005854775.tif 000007
【図７】
0005854775.tif 000008
【図８】
0005854775.tif 000009
【図９】
0005854775.tif 000010
【図１０】
0005854775.tif 000011
【図１１】
0005854775.tif 000012